(57)【特許請求の範囲】
【請求項１】
配送物に貼付される第１伝票上に、配送過程において分離される第２伝票が重ねられ、上側の伝票に記録された情報が下側の伝票に複写される配送伝票において、
前記第２伝票の上側には、配送過程において分離される第３伝票がさらに設けられ、
前記第３伝票には、配送過程において分離されない保持用帳票が裁断可能に連接され、
前記第１伝票は、前記第２伝票と重ならない領域を有し、その領域において前記第１伝票と前記保持用帳票とが接着され、
前記第３伝票及び前記第２伝票が分離された後、前記第１伝票と前記保持用帳票との間に分離後の前記第２伝票を挟んで一時的に前記第２伝票を保持可能である
ことを特徴とする配送伝票。
【請求項２】
配送物に貼付される第１伝票上に、配送過程において分離される第２伝票が重ねられ、上側の伝票に記録された情報が下側の伝票に複写される配送伝票において、
前記第２伝票には、配送過程において分離されない保持用帳票が裁断可能に連接され、
前記第１伝票は、前記第２伝票と重ならない領域を有し、その領域において前記第１伝票と前記保持用帳票とが接着され、
前記第２伝票が分離された後、前記第１伝票と前記保持用帳票との間に分離後の前記第２伝票を挟んで一時的に前記第２伝票を保持可能である
ことを特徴とする配送伝票。
【請求項３】
請求項１又は請求項２に記載の配送伝票において、
前記第１伝票の一対の対向する辺の外縁部と、前記第２伝票及び前記保持用帳票とが接着されている
ことを特徴とする配送伝票。
【請求項４】
請求項１〜請求項３のいずれか１項に記載の配送伝票の使用方法であって、
前記配送伝票を貼付した配送物を発送し、
前記配送物を受取人に届けるときに、前記第２伝票を分離し、
受取人に前記配送物を渡すことができなかったときは、前記第１伝票と前記保持用帳票との間に分離した前記第２伝票を挟んで、前記第２伝票を前記配送物に一時的に保持しておく
ことを特徴とする配送伝票の使用方法。
【発明の詳細な説明】
【０００１】
【発明の属する技術分野】
この発明は、配送物に貼付される第１伝票上に、配送過程において分離される第２伝票が重ねられ、上側の伝票に記録された情報が下側の伝票に複写される配送伝票と、その使用方法に関するものである。
【０００２】
【従来の技術】
図４は、従来の配送伝票の一例を示す分解斜視図である。この例の配送伝票１０は、厚み方向に重ねられた５枚の配送票１１〜１５から構成されている。最下部の配送票１５は、宅配荷物等の配送物に貼付され、荷札となる配送票である。一般には、配送票１５の裏面には接着剤が塗布され、その接着剤の上部が剥離紙に覆われている。
【０００３】
各配送票１１〜１５の図中左側外縁部の所定面側には、接着剤１６（図中、斜線部領域）が塗布され、各配送票１１〜１５が剥離不能に綴じ合わせられている。そして、配送票１１〜１４の上記接着剤が塗布された領域の内側のラインには、裁断可能なミシン目１７が形成されている。さらに、配送票１５の図中上下側の外縁部には、仮接着剤１８が塗布されており、配送票１４と１５とは、この領域において剥離可能に接着されている。
【０００４】
また、配送票１１〜１４の裏面側の所定領域には、カーボン層（図示せず）が設けられている。これにより、配送票１１上に手書き又は印字等により宛名等の情報が記録されると、その情報の全部又は一部が上記カーボン層により、その下側の配送票１２〜１５上に複写される。
【０００５】
配送伝票１０は、配送物に貼付される。この配送物は、その取扱店から所定の物流過程を経て、受取人に渡される。
配送票１１〜１３は、例えば差出人控えや配送受付控えとなる伝票であり、それぞれ物流過程でミシン目１７の裁断により分離される。配送業者に配送物が渡るときは、配送伝票１０は、配送票１４と１５のみとなる。
そして、配送業者が受取人に配送物を運ぶときは、最後の配送票１４を分離する（図５）。この配送票１４は、配達証明票として、受取人から判を押してもらうための伝票である。
【０００６】
ここで、配送票１４の図４中、上下側外縁部は、接着剤１８によって配送票１５と剥離可能に接着されているので、この領域において配送票１４を剥離することができる。そして、左側外縁部のミシン目１７を裁断すれば、配送票１５上から配送票１４を分離することができる。
配送業者のドライバーは、配送票１５のみが貼付された配送物を荷台に積み、運転席で配送票１４を見てそれに記録された受取人に配送物を届ける。
【０００７】
【発明が解決しようとする課題】
しかし、前述の従来の配送伝票１０では、以下の課題があった。
配送業者のドライバーが配送物を届けに行った場合に、受取人が不在のときがある。このときは、ドライバーは、配送物を持ち帰り、一時的に倉庫に保管する。ここで、配送時に一旦剥離した配送票１４は、再度配送物に添付することができないという問題があった。したがって、配送物と配送票１４とを別々に管理しなければならず、煩雑となり、さらに誤配送や配送票１４の紛失を招くおそれがあるという問題があった。
【０００８】
一方、従来の配送伝票において、下側の２枚の配送票を袋状に接着し、この内部に配送票を収納可能としたものが知られている。しかし、この形状では、袋状に形成する配送票を他の配送票より大きく形成しなければならず、コストが高くつくという問題がある。
【０００９】
本発明の課題は、コストを高くすることなく、一旦分離した配送票を配送物に再添付することができるようにすることにある。
【００１０】
【課題を解決するための手段】
上述の課題を解決するために、請求項１の発明は、配送物に貼付される第１伝票上に、配送過程において分離される第２伝票が重ねられ、上側の伝票に記録された情報が下側の伝票に複写される配送伝票において、前記第２伝票の上側には、配送過程において分離される第３伝票がさらに設けられ、前記第３伝票には、配送過程において分離されない保持用帳票が裁断可能に連接され、前記第１伝票は、前記第２伝票と重ならない領域を有し、その領域において前記第１伝票と前記保持用帳票とが接着され、前記第３伝票及び前記第２伝票が分離された後、前記第１伝票と前記保持用帳票との間に分離後の前記第２伝票を挟んで一時的に前記第２伝票を保持可能であることを特徴とする。
【００１１】
請求項２の発明は、配送物に貼付される第１伝票上に、配送過程において分離される第２伝票が重ねられ、上側の伝票に記録された情報が下側の伝票に複写される配送伝票において、前記第２伝票には、配送過程において分離されない保持用帳票が裁断可能に連接され、前記第１伝票は、前記第２伝票と重ならない領域を有し、その領域において前記第１伝票と前記保持用帳票とが接着され、前記第２伝票が分離された後、前記第１伝票と前記保持用帳票との間に分離後の前記第２伝票を挟んで一時的に前記第２伝票を保持可能であることを特徴とする。
【００１２】
請求項３の発明は、請求項１又は請求項２に記載の配送伝票において、前記第１伝票の一対の対向する辺の外縁部と、前記第２伝票及び前記保持用帳票とが接着されていることを特徴とする。
【００１３】
請求項４の発明は、請求項１〜請求項３のいずれか１項に記載の配送伝票の使用方法であって、前記配送伝票を貼付した配送物を発送し、前記配送物を受取人に届けるときに、前記第２伝票を分離し、受取人に前記配送物を渡すことができなかったときは、前記第１伝票と前記保持用帳票との間に分離した前記第２伝票を挟んで、前記第２伝票を前記配送物に一時的に保持しておくことを特徴とする。
【００１４】
【発明の実施の形態】
以下、図面等を参照して、本発明の一実施形態について説明する。図１は、本発明による配送伝票の第１の実施形態を示す分解斜視図である。
この実施形態の配送伝票２０は、厚み方向に重ねられた５枚の配送票２１〜２５を備える。配送票２１〜２３及び２５には、一般の紙材が用いられ、配送票２４には、合成紙等が用いられる。これは、雨露にさらされる等の環境下でも、配送票２４の十分な強度を確保するためである。
【００１５】
配送票２１〜２３は、例えば差出人控え、売場控え、ホスト（管理者側）控え、又は配送受付控え等となる伝票であり、配送伝票２０が用いられる物流過程に応じて種々選択設定されるものである。したがって、配送伝票２０は、本実施形態で示した伝票枚数に限られるものではない。
配送票２３には、裁断可能としたミシン目２８が形成され、このミシン目２８によって、配送票２３は、伝票部２３ａと保持部２３ｂとに分けられている。
配送票２４は、配達証明票として、受取人から判を押してもらうための伝票である。配送票２４は、他の配送票より長さが短く形成されている。配送票２４の図中右辺は、厚み方向において配送票２３のミシン目２８のラインより内側に位置している。
また、配送票２１〜２５の天地方向のサイズを等しく形成しているが、これに限定されるものではない。しかし、配送票２１〜２５の天地方向のサイズを等しくすれば、無駄な用紙が発生せず、製造上の利点がある。すなわち、各配送票２１〜２５を重ねて、配送伝票２０を製造する際に、それぞれ天地方向に連続して形成されている連続用紙を重ねるだけで良く、袋状内部に複数の配送票を複写可能に収納した従来の配送伝票のように、それぞれ独立した複数の配送票を、各伝票ごとに位置合わせをして、重ねる必要がない。
【００１６】
配送票２５は、配送物に貼付され荷札となる配送票である。図示しないが、配送票２５の裏面には、配送物に貼付するための接着剤が塗布され、その接着剤の上面は剥離紙に覆われている。
各配送票２１〜２５の図中左側外縁部の所定面側には、接着剤２７（図中、斜線部領域）が塗布され、各配送票２１〜２５は、この領域で剥離不能に綴じ合わせられている。そして、配送票２１〜２４の上記接着剤が塗布された領域の内側のラインには、裁断可能なミシン目２８が形成されている。
また、配送票２５の図中上下側の外縁部の所定領域（図中、斜線部領域）には、接着剤２９（２９ａ，２９ｂ）が塗布されている。接着剤２９は、上述の接着剤２７より接着力が弱く形成されたものである。接着剤２９ａは、配送票２４と２５とを接着するものであり、接着剤２９ｂは、配送票２３の保持部２３ｂと配送票２５とを接着するものである。
【００１７】
配送票２４は、合成紙等から形成されているので、接着剤２９ａにより、配送票２４と２５とは完全に接着されず、剥離可能に接着される。しかし、配送票２３と２５とは、ともに紙材から形成されたものであるので、接着剤２９ｂにより、配送票２３の保持部２３ｂと配送票２５とは、剥離不能に接着される。したがって、剥離可能な接着剤と剥離不能な接着剤との２種類の接着剤を用いる必要なく、配送票２３の保持部２３ｂと配送票２５とを剥離不能に接着し、配送票２４と２５とを剥離可能に接着することができる。
【００１８】
配送票２１〜２４の裏面側の所定領域には、カーボン層（図示せず）が設けられている。これにより、配送票２１上に手書き又は印字等により宛名等の情報が記録されると、その情報の全部又は一部が前記カーボン層により、その下側の配送票２２〜２５上に複写される。一方、上記カーボン層に限らず、例えば発色剤と顕色剤とからなるノンカーボン層を配送票２１〜２５の所定面に設けて、情報を複写可能に形成しても良い。
なお、図示しないが、配送票２１〜２５上には、差出人や受取人の宛名等を記録するための欄が設けられている。
【００１９】
配送伝票２０は、配送物に貼付される。そして、配送物の取扱店から所定の物流過程を経て、受取人に渡される。
配送票２１，２２及び配送票２３の伝票部２３ａは、それぞれ物流過程で分離される。配送票２１及び２２は、ミシン目２８が裁断されることによって分離される。また、配送票２３の伝票部２３ａは、２つのミシン目２８を裁断することによって分離される。これにより、配送票２３においては、伝票部２３ａのみが分離され、保持部２３ｂは、配送票２５に接着されたままである。
配送業者に配送物が渡るときは、配送伝票２０の配送票は、配送票２４と２５のみとなる。
【００２０】
配送業者が受取人に配送物を運ぶときは、配送票２４を分離する。ここで、配送票２４の図１中、上下側外縁部は接着剤２９ａにより剥離可能に接着されているので、この領域において配送票２４を剥離することができる。そして、左側外縁部のミシン目２８を裁断すれば、配送票２５上から配送票２４を分離することができる。
【００２１】
配送業者のドライバーは、配送物を届けに行った場合に受取人が不在のときは、配送物を持ち帰り、一時的に倉庫に保管する。このときに、図２に示すように、剥離した配送票２４を、配送票２５と保持部２３ｂとの間に挟んでおくことができる。これにより、配送票２４を配送物に一時的に保持しておくことができる。したがって、配送物と配送票２４とを別々に管理する必要がなく、配送票２４の紛失のおそれもなくなる。
【００２２】
配送物を再度配送するときは、この部分から配送票２４を抜き取れば良い。受取人がさらに不在のときは、上述と同様に、配送票２４を配送物に再度添付しておけば良い。
以上により、コストを高くすることなく、一旦剥離した配送票２４を、配送物に再添付することができる。また、保持部２３ｂは、配送票２３の基材の一部から形成されるので、配送伝票２０に使用する帳票の枚数を増加することなく、保持部２３ｂを設けることができる。
【００２３】
図３は、本発明による配送伝票の第２の実施形態を示す分解斜視図である。図３の配送伝票２０Ａにおいて、配送票２３Ａ，２４Ａ及び２５Ａは、それぞれ第１の実施形態の配送票２３，２４及び２５に対応するものである。以下、第１の実施形態と異なる部分について説明する。
配送票２１〜２５は、それぞれ略同一の外形に形成されている。したがって、第１の実施形態での配送票２４のように幅の短い配送票は設けられていない。
配送票２３Ａは、第１の実施形態での配送票２３のように、ミシン目によって伝票部と保持部とに分けられておらず、代わりに、配送票２４Ａがミシン目２８によって伝票部２４ａと保持部２４ｂとに分けられている。配送票２４Ａは、第１の実施形態の配送票２４と同様に合成紙等から形成されている。
【００２４】
また、配送票２５Ａ上には、接着剤２７（２７ａ，２７ｂ）が設けられている。接着剤２７ａは、配送票２４の伝票部２４ａと配送票２５とを接着するものであり、接着剤２７ｂは、配送票２４の保持部２４ｂと配送票２５とを接着するものである。接着剤２７は、第１の実施形態の接着剤２９と異なり、配送票２４が合成紙等であっても、配送票２４と２５とを剥離不能に接着する接着力を有する。また、接着剤２７ａ上には、黒ベタや網目パターン等の印刷が施され（図示せず）、接着剤２７ａの接着力が弱められている。これにより、配送票２４の伝票部２４ａと配送票２５とは、印刷及び接着剤２７ａにより、剥離可能に接着されている。一方、配送票２４の保持部２４ｂと配送票２５とは、接着剤２７ｂにより、剥離不能に接着されている。
【００２５】
配送票２４を物流過程で分離するときは、２つのミシン目２８を裁断し、かつ印刷及び接着剤２７ａにより接着されている領域を剥離して、伝票部２４ａのみを分離する。したがって、配送票２４の保持部２４ｂは、配送票２５上に接着されたままである。そして、受取人の不在により配送物を届けることができなかったときは、剥離した配送票２４の伝票部２４ａを、配送票２５と保持部２４ｂとの間に挟んでおくことができる。これにより、第１の実施形態と同様に、配送票２４の伝票部２４ａを配送物に一時的に保持しておくことができる。
【００２６】
以上、本発明の一実施形態について説明したが、本発明は、上述した実施形態に限定されることなく、均等の範囲内で以下のような種々の変形が可能である。
例えば、保持部２３ｂ，２４ｂは、それぞれ配送票２３，２４の右側外縁部に設けることに限らず、いかなる位置に設けても良い。
また、保持部２３ｂ，２４ｂ上に所定の情報を印刷しても良い。例えば、物流過程において最後まで必要な情報（発着店コード等）を表示しておけば、作業者の便宜を図ることができる。
さらにまた、第２の実施形態において、接着剤２７ａと２７ｂとは、同一の接着剤を用い、印刷により接着力を調整したが、これに限ることなく、接着剤２７ａには剥離可能な接着力を有する接着剤を用い、接着剤２７ｂには剥離不能な接着力を有する接着剤を用いても良い。
さらに、接着剤２７ａの配送票２４に対する剥離可能処理として、印刷を用いる代わりに、配送票２４の裏面に剥離処理を施しても良い。なお、配送票２１〜２５間の複写方式としてカーボン層を利用する場合、複写能力の向上のために、配送票２１〜２４の裏面とカーボン層との間に、必要に応じて剥離層を設けることがあるが、この剥離層を接着剤２７ａの配送票２４に対する剥離可能処理として利用しても良い。
【００２７】
【発明の効果】
請求項１，請求項２又は請求項４の発明によれば、コストを高くすることなく、一旦分離した第２伝票を、配送物に再添付することができる。
さらに、請求項３の発明によれば、１回の接着剤の塗布工程で、第１伝票と第２伝票及び保持用帳票とを接着することができる。
【図面の簡単な説明】
【図１】本発明による配送伝票の第１の実施形態を示す分解斜視図である。
【図２】剥離した配送票２４を、配送票２５と保持部２３ｂとの間に挟んだときの様子を示す斜視図である。
【図３】本発明による配送伝票の第２の実施形態を示す分解斜視図である。
【図４】従来の配送伝票の一例を示す分解斜視図である。
【図５】配送票１５上から配送票１４を分離するときの様子を示す斜視図である。
【符号の説明】
２０  配送伝票
２１，２２，２３，２４，２５  配送票
２３ａ  伝票部
２３ｂ  保持部
２７  接着剤
２８  ミシン目
２９  接着剤
【図１】
0003663496.tif 000002
【図２】
0003663496.tif 000003
【図３】
0003663496.tif 000004
【図４】
0003663496.tif 000005
【図５】
0003663496.tif 000006